(57)【特許請求の範囲】
【請求項１】
両面に印刷等の表示があるシートを冊子状に綴じた組シートにおいて、
前記シートの表面上に、次ページ又は前ページの少なくとも一方の繰り出しを指示する
インデックスを設け、
前記インデックスは、前記繰り出しの指示として繰り出した先のページを表す数字と前記繰り出し指示を用紙形状で表す用紙記号とページごとに上下方向が変わる場合に上下を判断する記号とを備えた、
ことを特徴とする組シート。
【請求項２】
請求項１記載の組シートであって、
前記各シートは、一コーナーが綴じられ、
前記インデックスは、前記各シートのページ番号に隣接して設けられ、
前記シートの各面に、複数のページが表示され、
前記インデックスは、前記シートの各面間で隣接するページに関して設けられた
ことを特徴とする組シート。
【請求項３】
複数のシートの各両面に画像データを印刷可能な画像形成装置において、
前記複数のシートの表面上に、次ページ又は前ページの少なくとも一方の繰り出しを指示するインデックスを印刷するインデックス印刷手段を設け、
前記インデックスは、前記繰り出しの指示として繰り出した先のページを表す数字を備えた、
ことを特徴とする画像形成装置。
【請求項４】
請求項３記載の画像形成装置であって、
前記インデックスは、前記繰り出し指示を用紙形状で表す用紙記号を備えた、
ことを特徴とする画像形成装置。
【請求項５】
複数のシートの各両面に画像データを印刷可能な画像形成装置において、
前記複数のシートの表面上に、次ページ又は前ページの少なくとも一方の繰り出しを指示するインデックスを印刷するインデックス印刷手段を設け、
前記インデックスは、前記繰り出し指示を用紙形状で表す用紙記号を備えた、
ことを特徴とする画像形成装置。
【請求項６】
請求項５記載の画像形成装置であって、
前記インデックスは、ページごとに上下方向が変わる場合に上下を判断する記号を備えた、
ことを特徴とする画像形成装置。
【請求項７】
請求項３〜６の何れかに記載の画像形成装置であって、
前記インデックス印刷手段は、前記インデックスを前記各シートのページ番号に隣接して印刷され、前記シートの各面に複数のページが印刷される場合に前記インデックスを前記シートの各面間で隣接するページに関して印刷する、
ことを特徴とする画像形成装置。
【請求項８】
複数のシートの各両面に画像データを印刷する両面印刷ステップをコンピュータに実行させるための画像形成プログラムにおいて、
複数のシートの表面上に次ページ又は前ページの少なくとも一方の繰り出しを指示するインデックスを印刷するインデックス印刷ステップをコンピュータに実行させ、
前記インデックスは、前記繰り出しの指示として繰り出した先のページを表す数字を備えた、
ことを特徴とする画像形成プログラム。
【請求項９】
請求項８記載の画像形成プログラムであって、
前記インデックスは、前記繰り出し指示を用紙形状で表す用紙記号を備えた、
ことを特徴とする画像形成プログラム。
【請求項１０】
複数のシートの各両面に画像データを印刷する両面印刷ステップをコンピュータに実行させるための画像形成プログラムにおいて、
複数のシートの表面上に次ページ又は前ページの少なくとも一方の繰り出しを指示するインデックスを印刷するインデックス印刷ステップをコンピュータに実行させ、
前記インデックスは、前記繰り出し指示を用紙形状で表す用紙記号を備えた、
ことを特徴とする画像形成プログラム。
【請求項１１】
請求項１０記載の画像形成プログラムであって、
前記インデックスは、ページごとに上下方向が変わる場合に上下を判断する記号を備えた、
ことを特徴とする画像形成プログラム。
【請求項１２】
請求項８〜１１の何れかに記載の画像形成プログラムであって、
前記インデックス印刷ステップは、前記インデックスを前記各シートのページ番号に隣接して印刷し、前記シートの各面に複数のページが印刷される場合に前記インデックスを前記シートの各面間で隣接するページに関して印刷する
ことを特徴とする画像形成プログラム。
【請求項１３】
各両面に画像データを印刷した複数のシートの表面上に貼付され、次ページ又は前ページの少なくとも一方の繰り出しを指示するためのインデックスをシールとして印刷するシール印刷ステップをコンピュータに実行させる
ことを特徴とする画像形成プログラム。
【請求項１４】
各両面に画像データを印刷した複数のシートの表面上に貼付され、次ページ又は前ページの少なくとも一方の繰り出しを指示するためのインデックスを印刷した
ことを特徴とするシール。
【発明の詳細な説明】
【技術分野】
【０００１】
両面印刷物で作られた冊子において、前後のページ関係を表すために印刷物内に位置関係を表す文字や記号を付加する技術に関する。
【背景技術】
【０００２】
両面印刷物の資料を閲覧する際には、ステープラーなどの止め具を境に前ページを後ろに折って閲覧する場合がある。このようにすると、片手で持てるサイズとなるし、ページが勝手にめくれることが無い為よく行われる。しかしながら、このようにすると次ページが裏面にあるのか、ページをめくる必要があるのか迷うことが多々ある。
【０００３】
図１に両面印刷であり、横置き印刷（ランドスケイプ）であり、表裏の印刷画像の上下が同じ方向であり、左上角をステープラーで綴じた印刷物を、ページをめくり返すごとに、綴じた部分を折り返して閲覧する場合について説明する。
【０００４】
１ページから２ページ目に移動する時には、１ページ目をめくって左上角の綴じた部分で後ろに折り込んで、冊子を裏返し、１ページ目の裏に印刷してあった２ページ目を閲覧する。２ページ目では、折り返された綴じ代部分は右上角となる。
【０００５】
その次のページが、現在見ているページの冊子の裏側にあるのか。現在のページの裏面にあるのか迷うことになる。
【０００６】
実際には、３ページ目は、２ページ目を表側にして見ている冊子の裏側にあり、冊子を裏返すことによって３ページ目に移動することができる。
【０００７】
以上のように、両面印刷で綴じられた印刷物を、綴じ代部分で折り込んで読み進めて行く場合には、ページ番号からだけでは次ページがどこにあるのか把握しにくい問題があった。
【０００８】
従来技術としては、片面印刷されている原稿を読み込ませて、両面２部印刷を行う場合に、読み込ませた原稿を使用して両面の印刷物を２部作成する特許がある。（特許文献１参照）
また、ひとつの画像を拡大して複数の用紙に分割して印刷する際（例えば大きな地図を複数枚の用紙に分けて印刷する場合など）に、分割印刷された各ページにそのページ番号と、その四辺に相互に隣接する印刷ページのページ番号を印刷することにより、隣接するページ関係を明確にする方法があった。（特許文献２参照）
【特許文献１】特開２００５−８４３６９号公報
【特許文献２】特開２００５−２５３８６号公報  しかし、いずれの方法でも上記に提起した両面印刷物の前後のページの位置関係を表すことができなかった。
【発明の開示】
【発明が解決しようとする課題】
【０００９】
両面印刷物における、前後のページの位置関係を示すためには、各ページに印刷されたページ番号で表すしかなく、その方法では、現在見ているページから、次のページがどこの位置にあるかを把握することができない点である。
【課題を解決するための手段】
【００１０】
両面印刷物における、前後のページの位置関係がわかりにくいという問題点を、以下の方法により解決した。
【００１１】
両面に印刷等の表示があるシートを冊子状に綴じた組シートにおいて、前記シートの表面上に、次ページ又は前ページの少なくとも一方の繰り出しを指示するインデックスを設け、前記インデックスは、前記繰り出しの指示として繰り出した先のページを表す数字と前記繰り出し指示を用紙形状で表す用紙記号とページごとに上下方向が変わる場合に上下を判断する記号とを備えたことを組シートの特徴とする。
【００１２】
複数のシートの各両面に画像データを印刷可能な画像形成装置においては、前記複数のシートの表面上に、次ページ又は前ページの少なくとも一方の繰り出しを指示するインデックスを印刷するインデックス印刷手段を設け、前記インデックスは、前記繰り出しの指示として繰り出した先のページを表す数字を備えたことを画像形成装置の特徴とする。
【００１３】
複数のシートの各両面に画像データを印刷する両面印刷ステップをコンピュータに実行させるための画像形成プログラムにおいては、複数のシートの表面上に次ページ又は前ページの少なくとも一方の繰り出しを指示するインデックスを印刷するインデックス印刷ステップをコンピュータに実行させ、前記インデックスは、前記繰り出しの指示として繰り出した先のページを表す数字を備えたことを画像形成プログラムの特徴とする。
【００１４】
シールを印刷する画像形成プログラムは、各両面に画像データを印刷した複数のシートの表面上に貼付され、次ページ又は前ページの少なくとも一方の繰り出しを指示するためのインデックスをシールとして印刷するシール印刷ステップをコンピュータに実行させることを特徴とする。
【００１５】
複数のシートの各両面に画像データを印刷する両面印刷ステップをコンピュータに実行させるための画像形成プログラムにおいて、複数のシートの表面上に次ページ又は前ページの少なくとも一方の繰り出しを指示するインデックスを印刷するインデックス印刷ステップをコンピュータに実行させ、前記インデックスは、前記繰り出し指示を用紙形状で表す用紙記号を備えたことを画像形成プログラムの特徴とする。
【００１６】
シールは、各両面に画像データを印刷した複数のシートの表面上に貼付され、次ページ又は前ページの少なくとも一方の繰り出しを指示するためのインデックスを印刷したことを特徴とする。
【発明の効果】
【００１７】
両面に印刷等の表示があるシートを冊子状に綴じた組シートにおいては、前記シートの表面上に、次ページ又は前ページの少なくとも一方の繰り出しを指示するインデックスを設けたことを最も主要な特徴とするため、前記組シートのページを前後に移動する際に、前後のページの位置を前記インデックスより把握し、容易にページを移ることができるようになった。
【００１８】
複数のシートの各両面に画像データを印刷可能な画像形成装置においては、前記複数のシートの表面上に、次ページ又は前ページの少なくとも一方の繰り出しを指示するインデックスを印刷するインデックス印刷手段を設けたことを最も主要な特徴とするため、前記画像形成装置により作成された印刷物は、ページを前後に移動する際に、前後のページの位置を前記インデックスより把握し、容易にページを移ることができるようになった。
【００１９】
複数のシートの各両面に画像データを印刷する両面印刷ステップをコンピュータに実行させるための画像形成プログラムにおいては、複数のシートの表面上に次ページ又は前ページの少なくとも一方の繰り出しを指示するインデックスを印刷するインデックス印刷ステップを備えたことを最も主要な特徴とするため、前記画像形成プログラムにより作成された印刷物は、ページを前後に移動する際に、前後のページの位置を前記インデックスより把握し、容易にページを移ることができるようになった。
【００２０】
シールを印刷する画像形成プログラムは、各両面に画像データを印刷した複数のシートの表面上に貼付され、次ページ又は前ページの少なくとも一方の繰り出しを指示するためのインデックスをシールとして印刷するシール印刷ステップをコンピュータに実行させることを特徴とするため、前記画像形成プログラムにより作成されたシールを貼付けされた印刷物は、ページを前後に移動する際に、前後のページの位置を前記インデックスシールより把握し、容易にページを移ることができるようになった。
【００２１】
複数のシートの各両面に画像データを印刷した印刷物においては、複数のシートの表面上に、次ページ又は前ページの少なくとも一方の繰り出しを指示するインデックスを印刷したことを特徴とするため、ページを前後に移動する際に、前後のページの位置を前記インデックスより把握し、容易にページを移ることができるようになった。
【００２２】
シールは、各両面に画像データを印刷した複数のシートの表面上に貼付され、次ページ又は前ページの少なくとも一方の繰り出しを指示するためのインデックスを印刷したことを特徴とするため、ページを前後に移動する際に、前後のページの位置を前記インデックスシールより把握し、容易にページを移ることができるようになった。
【発明を実施するための最良の形態】
【００２３】
両面印刷物で冊子状になったものについて、ページを折り込んで閲覧していく際に、次のページがどこにあるのかわかりにくいという問題点を、各ページにその前後のページとの位置関係を提示する文字と記号、または文字、または記号からなるインデックスを表示することにより解決した。
【実施例１】
【００２４】
［実施例の概要］
図２に、両面印刷物で、横置き印刷（ランドスケイプ）の冊子（ａ）にインデックス（ｂ）を印刷する場合について説明する。閲覧者はインデックスの記号と文字から現ページと前後のページ関係を把握し、次のページに移動するとき、ページをめくるのか、冊子を裏返すのかを判断することが可能となる。（ｂ）のインデックスは、図１の３ページ目に表示されることになるインデックスであるが、左上角が綴じられた両面印刷物の表面（おもてめん）、すなわち冊子の第一ページが印刷されている表紙の面（この場合奇数ページ面）に載せるインデックスの図であるが、その裏面（偶数ページ面）に印刷がある場合には、インデックスの記号は（ｃ）のようになる。
【００２５】
［インデックスの説明］
図３にインデックスの記号についての詳細を説明する。
【００２６】
本インデックス記号は、７個の構成物からなっており、それぞれについて説明する。
【００２７】
符号１３に示す横置きの用紙記号とその中に記載されている数字３（符号１１）により、このインデックスが印刷されているページが３ページ目であること、また用紙が横置き印刷であり、現ページの左上角が綴じられていることを表現している。
【００２８】
符号１７に示す矢印と、その横に記載されている数字４（符号１５）については、次のページ位置が、現ページである３ページ目の裏に印刷されていることを矢印１７の先端が用紙記号１３により隠れていることにより表しており、次ページが４ページであることをその数字（符号１５）で表現している。
【００２９】
符号２３に示す用紙記号は、前ページを表しており、用紙記号２３と用紙記号１３により、前ページ（符号２３）の右上角と現ページ（符号１３）の左上角が綴じられていることを表現している。
【００３０】
符号１９に示す矢印と、その横に記載されている数字２（符号２１）については、前ページが現ページの一枚前の用紙の、現ページに相対する面に印刷されていることを矢印１９の先端が用紙記号２３の上に載っていることにより表現しており、前ページが２ページであることをその数字２（符号２１）により表現している。
［インデックスの挿入例］
インデックスは、そのページ上の任意の位置に挿入できるが、通常印刷されているページ番号と組み合わせた例について以下に説明する。
【００３１】
図４は、従来のページ番号の右横にインデックスを印刷した例である。図３で説明したインデックスのすべての構成を表示してある。
【００３２】
図５は、従来のページ番号の左横に前ページの位置を表すインデックス、右横に次ページの位置を表すインデックスを印刷した例である。
【００３３】
左横には、図３で示すインデックスの構成物のうち、現ページと前ページに係わる部分のみ（符号１１、１３、１９、２１、２３）を印刷してある。
【００３４】
右横には、図３で示すインデックスの構成物のうち、現ページと次ページに係わる部分のみ（符号１１、１３、１５、１７）を印刷してある。
【００３５】
図４、５の様に、従来のページ番号とインデックスを組み合わせることにより、インデックスを見つけやすくなり、またインデックスの記号の意味も理解しやすくなる。
【００３６】
図５では、従来のページ番号の左横に前ページの位置を表すインデックス、右横に次ページの位置を表すインデックスを印刷した例を示したが、これはページ内の文字の並びが横書き表記の場合の例であり、縦書き表記などの右綴じ冊子の場合には、ページ番号の右横に前ページの位置を表すインデックス、左横に次ページの位置を表すインデックスを印刷してもよい。
【００３７】
図６と図７は、４枚の連続ページを一枚のページに縮小印刷した集約ページ、いわゆる４ｉｎ１の印刷におけるインデックスの挿入例である。
【００３８】
図６では、４ｉｎ１の一枚の用紙の中に含まれている４枚の縮小ページの最初のページである５ページのページ番号左横に前ページとの位置関係を示すインデックスを挿入し、４ｉｎ１の４枚の縮小ページの中の最終ページである８ページのページ番号の右横に、次ページとの位置関係を示すインデックスを挿入してある。
【００３９】
また、図７は、４ｉｎ１が載せてある用紙ごとのページ番号（例では用紙の下辺に挿入）の右横にインデックスを挿入した例である。
【００４０】
［他のインデックス例］
インデックス記号については、上記で説明した以外にも印刷位置が縦置きであるか、横置きであるか、また、綴じ位置が左角であるか、右角であるか、左辺であるか、右辺であるか、上辺であるか、下辺であるかなどにより、その形が変ってくるので、以下にそれらのインデックス記号についての例を示す。
【００４１】
図８は、すでに前記図２、３で説明したが、用紙の表側（表面：おもてめん）に載せるインデックスのパターン例である。図８（ａ）（ｂ）では、ページ番号が３の場合を、（ｃ）（ｄ）では４の場合を示しているが、実際にはページ番号は任意であり、以下の例についても同様である。ページの開始が必ず冊子の表紙であるわけではないので、表面が奇数で裏面が偶数とは限らない。ページ番号については、図８から図１９までのインデックスパターン例についても任意である。
【００４２】
（ａ）は、左上角で綴じた場合の横置き印刷（ランドスケイプ）の表面のインデックス例である。
【００４３】
（ｂ）は、左上角で綴じた場合の縦置き印刷（ポートレイト）の表面のインデックス例である。
【００４４】
（ｃ）は、右上角で綴じた場合の横置き印刷の表面のインデックス例である。
【００４５】
（ｄ）は、右上角で綴じた場合の縦置き印刷の表面のインデックス例である。
【００４６】
図９は、図２の（ｃ）で示したように、綴じられた冊子の最初の表紙にあたるページを表面（おもてめん）とすると、その裏面に載せるインデックスのパターン例である。
【００４７】
（ａ）は、表面側から見た場合に左上角で綴じた横置き印刷の裏面に載せるインデックス例である。
【００４８】
（ｂ）は、表面側から見た場合に左上角で綴じた縦置き印刷の裏面に載せるインデックス例である。
【００４９】
（ｃ）は、表面側から見た場合に右上角で綴じた横置き印刷の裏面に載せるインデックス例である。
【００５０】
（ｄ）は、表面側から見た場合に右上角で綴じた縦置き印刷の裏面に載せるインデックス例である。
【００５１】
図１０には、図５の例で示した、従来のページ番号を挟んで両側に載せるインデックスの例について示す。本図では、左綴じのパターンのみを示したが、右綴じにおいても同様であり省略した。
【００５２】
（ａ）は、左上角綴じの横置き印刷の表面のインデックス例である。
【００５３】
（ｂ）は、左上角綴じの縦置き印刷の表面のインデックス例である。
【００５４】
（ｃ）は、左上角綴じの横置き印刷の裏面のインデックス例である。
【００５５】
（ｄ）は、左上角綴じの縦置き印刷の裏面のインデックス例である。
【００５６】
右綴じについては、図８の（ｃ）（ｄ）と図９の（ｃ）（ｄ）に示したものをページの前後で分けてページ番号に挟んだものと同じであるので省略した。
【００５７】
図１１には、インデックスのページ番号の代わりに文字または記号を用いる例について示す。図１１内のパターンは、前記図８、図９、図１０にある他のパターンにおいても応用できるが、図の左上角綴じ横置きで例を示し他のパターンは省略した。
【００５８】
（ａ）は、横置き印刷のインデックスで前後のページ数の代わりに、Ｂｅｆｏｒｅで前ページをＮｅｘｔで次ページを示した例。
【００５９】
（ｂ）は、横置き印刷のインデックスで前後のページ数の代わりに、『前』で前ページを『後』で次ページを示した例。
【００６０】
（ｃ）は、横置き印刷のインデックスで前後のページ数の代わりに、小さい菱形で前ページを大きい菱形で次ページを示した例であり、この場合の記号は菱形に限らず任意である。
【００６１】
図１２には、前後のページの上下を記号により判断できるようにしたインデックス例について示す。図１２内のパターンは、前記図８、図９、図１０、図１１にある他のパターンにおいても応用できるが、他のパターンは省略した。
【００６２】
（ａ）は、左上角綴じ横置き印刷の表面のインデックスで、前ページが縦置きに印刷されており、その上方向を矢印で表したインデックス例。
【００６３】
（ｂ）は、左上角綴じ横置き印刷の表面のインデックスで、前ページが縦置きに印刷されており、その上方向が（ａ）とは逆の方向で、その向きを矢印で表したインデックス例。
【００６４】
（ｃ）は、左上角綴じ縦置き印刷の表面のインデックスで、前ページも縦置きに印刷されており、その上下方向が同じであるのを矢印で表したインデックス例。
【００６５】
（ｄ）は、左上角綴じ縦置き印刷の表面のインデックスで、前ページも縦置きに印刷されており、その上下方向が逆向きであるのを矢印で表したインデックス例。
【００６６】
図１３には、前後のページの上下を文字により判断できるようにしたインデックス例について示す。図１３内のパターンは、前記図８、図９、図１０、図１１にある他のパターンにおいても応用できるが、他のパターンは省略した。
【００６７】
（ａ）は、左上角綴じ横置き印刷の裏面のインデックスで、前ページが縦置きに印刷されており、その上方向をＴｏｐの文字で表したインデックス例。
【００６８】
（ｂ）は、左上角綴じ横置き印刷の裏面のインデックスで、前ページが縦置きに印刷されており、その上方向が（ａ）とは逆の方向で、その向きをＴｏｐの文字で表したインデックス例。
【００６９】
（ｃ）は、左上角綴じ縦置き印刷の裏面のインデックスで、前ページも縦置きに印刷されており、その上下方向が同じであるのをＴｏｐの文字で表したインデックス例。
【００７０】
（ｄ）は、左上角綴じ縦置き印刷の裏面のインデックスで、前ページも縦置きに印刷されており、その上下方向が逆向きであるのをＴｏｐの文字で表したインデックス例。
【００７１】
図１４には、辺で綴じた場合のインデックス例について示す。図１４内のパターンは、前記図１０、図１１、図１２、図１３にある他のパターンにおいても応用できるが、他のパターンは省略した。
【００７２】
（ａ）は、左短辺綴じ横置き印刷の表面のインデックス例である。
【００７３】
（ｂ）は、左短辺綴じ横置き印刷の裏面のインデックス例である。
【００７４】
（ｃ）は、右短辺綴じ横置き印刷の表面のインデックス例である。
【００７５】
（ｄ）は、右短辺綴じ横置き印刷の裏面のインデックス例である。
【００７６】
（ｅ）は、左長辺綴じ縦置き印刷の表面のインデックス例である。
【００７７】
（ｆ）は、左長辺綴じ縦置き印刷の裏面のインデックス例である。
【００７８】
（ｇ）は、右長辺綴じ縦置き印刷の表面のインデックス例である。
【００７９】
（ｈ）は、右長辺綴じ縦置き印刷の裏面のインデックス例である。
【００８０】
（ｉ）は、上短辺綴じ縦置き印刷の表面のインデックス例である。
【００８１】
（ｊ）は、上短辺綴じ縦置き印刷の裏面のインデックス例である。
【００８２】
（ｋ）は、上長辺綴じ横置き印刷の表面のインデックス例である。
【００８３】
（ｌ）は、上長辺綴じ横置き印刷の裏面のインデックス例である。
【００８４】
図１５には、最初のページに印刷するインデックスのパターン例について示す。図１５内のパターンは、前記図１０、図１１、図１２、図１３、図１４にある他のパターンにおいても応用できるが、他のパターンは省略した。
【００８５】
（ａ）横置き印刷の表紙が第一ページの場合のインデックス例である。
【００８６】
（ｂ）縦置き印刷の表紙が第一ページの場合のインデックス例である。
【００８７】
（ｃ）左上角綴じ横置き印刷の表紙の裏面が第一ページのインデックス例である。
【００８８】
（ｄ）左上角綴じ縦置き印刷の表紙の裏面が第一ページのインデックス例である。
【００８９】
（ｅ）右上角綴じ横置き印刷の表紙裏面が第一ページのインデックス例である。
【００９０】
（ｆ）右上角綴じ縦置き印刷の表紙裏面が第一ページのインデックス例である。
【００９１】
図１６には、最終ページに印刷するインデックスのパターン例について示す。図１６内のパターンは、前記図１０、図１１、図１２、図１３、図１４にある他のパターンにおいても応用できるが、他のパターンは省略した。
【００９２】
（ａ）左上角綴じ横置き印刷の最終ページが表面のインデックス例である。
【００９３】
（ｂ）左上角綴じ縦置き印刷の最終ページが表面のインデックス例である。
【００９４】
（ｃ）右上角綴じ横置き印刷の最終ページが表面のインデックス例である。
【００９５】
（ｄ）右上角綴じ縦置き印刷の最終ページが表面のインデックス例である。
【００９６】
（ｅ）横置き印刷の最終ページ裏面のインデックス例である。
【００９７】
（ｆ）縦置き印刷の最終ページ裏面のインデックス例である。
【００９８】
図１７には、第一ページまたは最終ページにおいて、ページ番号の代わりに文字を使用するインデックス例について示す。図１７内のパターンは、前記図１０、図１１、図１２、図１３、図１４、図１５、図１６にある他のパターンにおいても応用できるが、他のパターンは省略した。
【００９９】
（ａ）横置き第一ページ表面に、第一ページであることを表す、Ｆｉｒｓｔの文字と次ページを表す、Ｎｅｘｔの文字を入れたインデックス例である。
【０１００】
（ｂ）左上角綴じ横置き最終ページが表面に、最終ページであることを表す、Ｅｎｄの文字とその前ページを表す、Ｂｅｆｏｒｅの文字を入れたインデックス例である。
【０１０１】
（ｃ）左上角綴じ横置き印刷の第一ページが裏面にある場合に、第一ページであることを表す、Ｆｉｒｓｔの文字と次ページを表す、Ｎｅｘｔの文字を入れたインデックス例である。
【０１０２】
（ｄ）横置き印刷の最終ページが裏面の場合に、最終ページであることを表す、Ｅｎｄの文字とその前ページを表す、Ｂｅｆｏｒｅの文字を入れたインデックス例である。
【０１０３】
図１８では、前のページ及び次のページを示す矢印の他のパターンの例について示す。図１８内のパターンは、前記図８、図９、図１０、図１１、図１２、図１３、図１４、図１５、図１６、図１７にある他のパターンにおいても応用できるが、他のパターンは省略した。
【０１０４】
（ａ）左上角綴じ横置き印刷の表面の場合に、前ページを示す矢印を注目ページの上から前ページに９０度に向きが変わった矢印により示し、そのページ番号を矢印上部に配置したインデックス例。
【０１０５】
（ｂ）同じく、左上角綴じ横置き印刷の表面の場合に、前ページを表す矢印を無くし、代わりに前ページ上に前ページ番号を載せ、次ページを示す矢印を現ページの裏側に矢印の先端の約半分が隠れる形の直線の矢印で示し、その矢印の基点位置横に次ページのページ番号を載せたインデックスの例である。
【０１０６】
図１９には、インデックスのパターンの並びを見ているときの方向に合わせて変化させた例について示す。図１９内のパターンは、前記図８、図９、図１０、図１１、図１２、図１３、図１４、図１５、図１６、図１７、図１８にある他のパターンにおいても応用できるが、他のパターンは省略した。
【０１０７】
（ａ）は、上短辺綴じの縦置き印刷で、現在参照しているページが通常の縦置きの上方向にある場合のインデックスの例を示す。
【０１０８】
（ｂ）は、上短辺綴じの縦置き印刷で、現在参照しているページの上下が逆向きで、ページの上下を正しく見たときに綴じ代が下辺にある場合のインデックスの例を示す。表裏面が逆方向に印刷されている場合に起こる。
【０１０９】
（ｃ）は、左短辺綴じの横置き印刷で、現在参照しているページが通常の縦置きの上方向にある場合のインデックスの例を示す。
【０１１０】
（ｄ）は、左短辺綴じの横置き印刷で、現在参照しているページが前ページとは逆向きで、綴じ代が右辺に来る場合のインデックスの例を示す。表裏面が逆方向に印刷されている場合に起こる。
【０１１１】
［実施例１の効果］
上記のインデックスを印刷物中に印刷することにより、両面印刷物で綴じられたものを綴じ代で折り込んで閲覧して行く際に、前後のページの位置関係をインデックスにより容易に把握することができるようになる。
【０１１２】
図４及び図５に示すようにインデックスを各シートのページ番号に隣接して設けることにより、インデックスがページ番号と関連付けられ、インデックスを初めて見た利用者にも、インデックスがページに関連して設けられた記号だと直感的に把握することができる。また、図５に示すように、ページ番号の左側に前ページを指示するインデックス、ページ番号の右側に次ページを指示するインデックスを設けることにより、利用者が進みたいページ方向をより早く簡単に見つけることができる。
【０１１３】
図６及び図７に示すように、集約ページ印刷の冊子においても、インデックスを応用することができ、図６のように、集約ページ内の各縮小ページにインデックスを挿入してもよいし、集約してあるページ上にインデックスを挿入してもよく、両者の場合において、前後のページの位置関係を容易に把握することができる。
【０１１４】
［その他］
インデックスは、印刷に限らず手書きによりページに記載する方法も考えられる。また、インデックスが記載される媒体としては、用紙上の印刷物をステープラーで綴じた印刷物に限らず、プラスチック板をルーズリーフやリングで束ねた、作業現場でマニュアルとして用いられるような印刷物や表示物にも応用できる。また、印刷物に限らず、ノート等これから記入を行ってゆく物に、インデックスを先に印刷しておく場合にも応用できる。
【実施例２】
【０１１５】
本発明実施例２としての画像形成装置について説明する。
【０１１６】
［装置の構成］
画像形成装置の構成を図２０に示す。
【０１１７】
画像形成装置は、電子写真プロセスを用いた方式で、制御部１０１、印刷部１０３、記憶部１０５、通信部１０７からなる。
【０１１８】
印刷部１０３は、感光体ドラム、光露光部、現像器、定着器からなり、制御部の指令により印刷を行う。
【０１１９】
記憶部１０５は、半導体メモリと磁気ディスクからなり、プログラムやデータを記憶し、制御部との間でプログラムやデータのやり取りを行う。
【０１２０】
通信部１０７は、コンピュータやネットワークと接続されており、それら周辺機器との間で通信を受け持ち、印刷指令を受け取り、印刷結果を報告する。
【０１２１】
操作パネル１０９は、画像形成措置の初期設定や、印刷の指令を指示したり、機器の状態を表示したりする。
【０１２２】
制御部１０１は、ＣＰＵと周辺機器制御回路からなり、記憶部１０５に記憶されているプログラムを基に、通信部１０７を通して、コンピュータやネットワークの間で通信を行ったり、印刷部１０３に指令を出して印刷を行う。
【０１２３】
印刷手段は、制御部１０１が通信部１０７から受け取った印刷指令とその印刷データを記憶部１０５に記憶されているプログラムを基に印刷部１０３が理解する形に変換して印刷部１０３に指令を出して行う。
【０１２４】
インデックス印刷手段は、同じく制御部１０１が通信部１０７から受け取った印刷データにインデックス印刷指令がある場合や、操作パネル１０９からのインデックス印刷指令により、記憶部１０５に記憶されているインデックス印刷プログラムにより、インデックス画像データを作成して、印刷画像と合成し、印刷部１０３に指令を出して行う。
【０１２５】
［動作の流れ］
画像形成装置によるインデックスの印刷の動作の流れについては、実施例３に説明する画像形成プログラムの動作の流れと同じなので、実施例３において説明する。
【０１２６】
［実施例２の効果］
実施例２により、画像形成装置は、通常の印刷手段だけではなく、コンピュータや操作パネルの指示により、印刷物にインデックスを付加する機能を持たせた画像形成装置となり、同画像形成装置によって生成される印刷物は、両面印刷物で綴じ代で折り込んで読み進める際にも容易にページの前後の位置関係を把握することができる。
【０１２７】
［その他］
実施例２の画像形成装置には、自動両面印刷機能とステープラーによる自動綴じ機能を備えていれば、インデックスの印刷とそれらの両機能の実施を印刷時に同時に指示して行えるので非常に便利である。しかし、画像形成装置がそれらの機能を備えて無くとも、手動により片面印刷した用紙を用紙カセットに再挿入することにより両面印刷が行えるし、冊子に綴じることに関しては、インデックスの記号指示と同じ形（例えば左上角綴じ等）に、手動ないしは別の独立した機器によって行えばよい。
【０１２８】
インデックスは、画像形成装置による印刷時に画像と同時に印刷を行っても良いし、またすでに印刷が済んでいる用紙に、後でインデックスを付加するために印刷を行ってもよい。
【実施例３】
【０１２９】
実施例３については、本発明の画像形成プログラムについて説明する。
【０１３０】
［装置の構成］
図２１に本発明による画像形成プログラムを実行するコンピュータの機能ブロック図を示す。
【０１３１】
コンピュータは、ＣＰＵ２０１、半導体メモリ２０３、ハードディスク２０５、入力装置２０７、ディスプレイ２０９からなる。
【０１３２】
本発明の画像形成プログラムは、コンピュータ上のハードディスク２０５上に記憶され、実行の際は、半導体メモリ２０３にコピーされて、ＣＰＵ２０１により実行される。
【０１３３】
プログラムの実行時には、ディスプレイ２０９にプログラムの実行状況を表示し、設定をマウスやキーボードからなる入力装置２０７から入力して、画像形成プログラムに指令を行う。
【０１３４】
画像形成プログラムにおける印刷手段は、プログラム内の画像生成ルーチンがＣＰＵ２０１によって入力データを解析し、画像形成装置が理解する印刷データに変換することにより行う。
【０１３５】
画像形成プログラムにおけるインデックス印刷手段は、プログラム内のインデックス生成ルーチンが入力装置から指示されたインデックスの形に従って、ＣＰＵ２０１によって、インデックスデータを生成し、前記印刷データと合成することにより行う。
【０１３６】
［動作の流れ１］
画像形成プログラムによりインデックスを印刷する場合についての動作を図２２（ａ）と図２２（ｄ）のフローチャートを使って説明する。
【０１３７】
画像形成プログラムにてインデックス印刷設定を実行すると、インデックス表示を有効にするかどうかを指定する段階、ステップＳ３１が実行される。
【０１３８】
インデックス表示を有効にしなかった場合は、インデックスを印刷しないのでプログラムは終了する。
【０１３９】
インデックス表示を有効にした場合は、次のステップであるインデックス表示のユーザ設定を行う段階、ステップＳ３３に進む。ここでは、インデックスの表示個所や表示形式（縦置き印刷か横置き印刷、綴じ代の位置、インデックスの図案、挿入位置、集約ページであるかどうか等）を設定する。
【０１４０】
次に各ページについて順次処理を行うループ１の先頭であるステップＳ３５を実行する。Ｓ３５はＳ５５と対になってループを形成しており、第１ページから最終ページまでを１ページごとに繰り返すための処理を行う。
【０１４１】
次に、ページ番号を取得保持する段階、ステップＳ３７を実行する。
【０１４２】
次に、ページが表側であるかどうかを判断する段階、ステップＳ３９を実行する。
【０１４３】
Ｓ３９の判断結果がＹＥＳの場合、すなわち表面（おもてめん）のページである場合は、次の表用のインデックス図形を選択する段階、ステップＳ４１に進む。Ｓ４１では、縦置き印刷で左角綴じの場合には、図２２（ｂ）に示すようなインデックスパターンを選択する。
【０１４４】
Ｓ３９の判断結果がＮＯの場合、すなわち裏面のページである場合は、裏用のインデックス図形を選択する段階、ステップＳ４３を実行する。Ｓ４３では、Ｓ４１と同じ縦置き印刷で左角綴じの場合には、図２２（ｃ）に示すようなインデックスパターンを選択する。
【０１４５】
Ｓ４１または、Ｓ４３の実行後は、次の、ページ集約印刷であるかどうかを判断する段階、ステップＳ４５に進む。ページ集約印刷とは、実施例１内で説明した４ｉｎ１などの一枚の用紙に複数の枚数を印刷することである。（図６、７参照）
Ｓ４５の判断結果がＮＯである場合、すなわちページ集約印刷ではなく、通常の用紙１枚に１ページである場合は、Ｓ５３のインデックス表示挿入処理に進む。Ｓ５３の詳細については、後に詳細を説明する。
【０１４６】
Ｓ４５の判断結果がＹＥＳである場合、すなわちページ集約印刷である場合は、次の、インデックスの表示位置は集約ページであるかどうかを判断する段階、ステップＳ４７に進む。Ｓ４７では、図６のように、一枚の用紙の中に複数ある縮小された各ページの最初と最後のページにインデックスを付けるか、または、図７の様に用紙ごとにインデックスを設けるかをＳ３３で指定した設定から判断する。図７がＳ４７の判断がＹＥＳのケースであり、図６がＮＯの場合である。
【０１４７】
Ｓ４７の判断がＹＥＳの場合、そのページが集約ページの中の最終ページであるかどうかを判断する段階、ステップＳ５１に進む。Ｓ５１の結果がＮＯの場合、すなわち最終ページで無い場合は、インデックスを作成する必要が無いので、Ｓ５３をスキップしてＳ５５に至り、そしてＳ３５からループを繰り返す。
【０１４８】
Ｓ５１の結果が、最終ページである場合は、インデックス表示挿入処理を行う、Ｓ５３に進む（Ｓ５３の内容は後述）。
【０１４９】
Ｓ４７の結果がＮＯで、インデックスの表示位置が集約ページ内の縮小ページに挿入する場合は、次の集約ページの最初のページまたは最後のページであるかどうかを判断する段階、ステップＳ４９に進む。これは図６に示すように、縮小ページの最初と最後のページにのみインデックスを挿入するためである。
【０１５０】
Ｓ４９の判断結果がＮＯの場合、インデックスを作成する必要が無いので、Ｓ５３をスキップしてＳ５５に至り、そしてＳ３５からループを繰り返す。
【０１５１】
Ｓ４９の判断結果がＹＥＳの場合、インデックス表示挿入処理を行う段階、ステップＳ５３に進む。
【０１５２】
Ｓ５３内では、図２２（ｄ）に示す、Ｓ６１からＳ６５に至る処理が行われる。
【０１５３】
まず、インデックスの設定がページ数表示か、文字表示であるかを判断する段階、ステップＳ６１が実行される。
【０１５４】
Ｓ６１の判断結果が文字であった場合、図２２（ｅ）の様に、設定されている文字列をインデックスに挿入しインデックス図形を作成する段階、ステップＳ６３が実行される。
【０１５５】
Ｓ６１の判断結果がページ数の場合は、次の現ページ番号から、前次のページ番号を算出し、インデックス図形（図２２（ｆ））を作成する段階、ステップＳ６７を実行する。
【０１５６】
Ｓ６３またはＳ６７が終了すると、設定の個所にインデックス図形を挿入する段階、ステップＳ６５が実行される。
【０１５７】
Ｓ６５の実行後、図２２（ａ）のＳ５５に戻る。Ｓ５５はループ１の最終端であり、最終ページかどうかの判断を行い、最終ページである場合は処理を終了する。最終ページで無い場合は、Ｓ３５に戻り次のページに進み処理を繰り返す。
【０１５８】
［動作の流れ２］
次に、インデックスをシールとして作成する場合の動作の流れについて、図２３のフローチャートを使って説明する。
【０１５９】
まず、インデックス表示のシール印刷を選択したかどうかを指定する段階、ステップＳ７１を実行する。
【０１６０】
シール印刷を指定しなかった場合は、処理を終了する。
【０１６１】
シール印刷を指定した場合は、次のインデックスのユーザ設定を行う段階、ステップＳ７３を実行する。ここでは、インデックスの絵柄タイプや用紙サイズなどを指定する。
【０１６２】
次に、印刷の実行をおこなうかどうか指定する段階、ステップＳ７５を実行する。
【０１６３】
Ｓ７５で印刷を実行しない場合は、処理を終了する。
【０１６４】
Ｓ７５で印刷を実行した場合は、次のユーザ設定をメモリから取得する段階、ステップＳ７７を実行する。
【０１６５】
次に、インデックスの個数分のループを行う段階、ステップＳ７９を実行する。Ｓ７９はＳ８５と対になってループを形成しており、第１ページから最終ページまでに貼り付けられるシールの一枚ごとに繰り返すための処理を行う。
【０１６６】
次に、オプションの設定に合わせて絵柄を形成する段階、ステップＳ８１を実行する。
【０１６７】
Ｓ８１の実際はより詳細な項目に分かれており、次にその内容について図２３の（ｄ）のフローチャートを使って説明する。
【０１６８】
まず、ユーザが設定した基本の絵柄タイプの画像テーブルを取得する段階、Ｓ８９を実行する。この画像は、ステープル個所、印刷面、印刷の向きによって基本画像が異なってくる（例、（ｂ）や（ｃ）等）。
【０１６９】
次に、オプションでページ番号の印刷を選択しているかどうかを判断する段階、ステップＳ９１を実行する。
【０１７０】
Ｓ９１の結果がページ番号の印刷を選択している場合、次にページ番号を取得する段階、ステップＳ９３を実行する。
【０１７１】
次に、絵柄を形成する段階、ステップＳ９９を実行して処理を終了する。
【０１７２】
Ｓ９１の結果、ページ番号の印刷を選択していない場合は、文字表示を選択しているかどうかを判断する段階、ステップＳ９５を実行する。
【０１７３】
Ｓ９５の結果が文字表示を選択している場合、次の文字を取得する段階、ステップＳ９７を実行する。
【０１７４】
Ｓ９７の実行後は、上記で説明した絵柄を形成する段階、ステップＳ９９を実行し処理を終了する。Ｓ９３でページ番号を取得した場合は、（ｆ）に示す例のインデックスパターンを、Ｓ９７で文字を取得した場合は、（ｅ）に示す例のインデックスパターンをＳ９９にて形成する。
【０１７５】
Ｓ９９の実行後、（ａ）のフローチャートに戻り、印刷データを用紙サイズに合わせてメモリに展開する段階、ステップＳ８３を実行する。
【０１７６】
次に、ループ１の終端Ｓ８５に至り、最終ページのシールである場合は、ループから抜け出てＳ８７に進む。まだ最終ページのシールで無い場合は、ページを１ページ進めてＳ７９に戻りループ１を繰り返す。
【０１７７】
最終ページのシールの場合は、Ｓ８３でメモリに展開されたシールの画像を印刷処理する段階、ステップＳ８７を実行し処理を終了する。
【０１７８】
［実施例３の効果］
実施例３の画像形成プログラムにより、印刷物にインデックスを挿入することができ、またインデックスのシールを印刷することができる。本プログラムにより生成された印刷物は、両面印刷物であって綴じ代で綴じられた形の冊子であって、折り込んで読み進める際にも容易にページの前後の位置関係を把握することができる。
【図面の簡単な説明】
【０１７９】
【図１】両面印刷物の冊子での問題点。
【図２】図１の例の第３ページにインデックスを載せた例（実施例１）。
【図３】インデックスの各部の説明（実施例１）。
【図４】インデックスをページ番号の右横に載せた例（実施例１）。
【図５】インデックスをページ番号を挟んで両横に載せた例（実施例１）。
【図６】集約ページ、４ｉｎ１にインデックスを載せた例１（実施例１）。
【図７】集約ページ、４ｉｎ１にインデックスを載せた例２（実施例１）。
【図８】表面のインデックスの例（実施例１）。
【図９】裏面のインデックスの例（実施例１）。
【図１０】ページ番号を挟んで載せたインデックスの例（実施例１）。
【図１１】ページ番号の代わりに文字または記号を用いたインデックスの例（実施例１）。
【図１２】ページごとに上下方向が変わる場合、その方向を矢印で表したインデックスの例（実施例１）。
【図１３】ページごとに上下方向が変わる場合、その方向を文字で表したインデックスの例（実施例１）。
【図１４】辺で綴じた場合のインデックスの例（実施例１）。
【図１５】最初のページのインデックスの例（実施例１）。
【図１６】最終ページのインデックスの例（実施例１）。
【図１７】第一ページと最終ページにおいてページ番号の代わりに文字を用いる（実施例１）。
【図１８】前後のページを示す矢印の別のパターンのインデックスの例（実施例１）。
【図１９】見ている方向に合わせて全体のイメージを変化させたパターンのインデックス例（実施例１）。
【図２０】画像形成装置のブロック構成図（実施例２）。
【図２１】画像形成プログラムの機能ブロック図（実施例３）。
【図２２】画像形成プログラムのフローチャート１（実施例３）。
【図２３】画像形成プログラムのフローチャート２（実施例３）。
【符号の説明】
【０１８０】
１０１  制御部（印刷手段、インデックス印刷手段）
１０３  印刷部（印刷手段、インデックス印刷手段）
２０１  ＣＰＵ（印刷手段、インデックス印刷手段）
【図１】
0004576346.tif 000002
【図２】
0004576346.tif 000003
【図３】
0004576346.tif 000004
【図４】
0004576346.tif 000005
【図５】
0004576346.tif 000006
【図６】
0004576346.tif 000007
【図７】
0004576346.tif 000008
【図８】
0004576346.tif 000009
【図９】
0004576346.tif 000010
【図１０】
0004576346.tif 000011
【図１１】
0004576346.tif 000012
【図１２】
0004576346.tif 000013
【図１３】
0004576346.tif 000014
【図１４】
0004576346.tif 000015
【図１５】
0004576346.tif 000016
【図１６】
0004576346.tif 000017
【図１７】
0004576346.tif 000018
【図１８】
0004576346.tif 000019
【図１９】
0004576346.tif 000020
【図２０】
0004576346.tif 000021
【図２１】
0004576346.tif 000022
【図２２】
0004576346.tif 000023
【図２３】
0004576346.tif 000024